(57)【要約】【課題】治具を用いなければ取り外し困難であり、治具を用いれば短時間で取り外すことが可能であり、スペースを取らない吸盤付きＲＦＩＤタグを提供する。【解決手段】複数の吸盤４が形成された吸盤面を有する吸盤シート１ａと、吸盤シート１ａにおける吸盤面以外を覆う硬質材５ａと、硬質材５ａの内部または吸盤シート１ａと硬質材５ａとの間に、配置されたＩＣチップ１２およびアンテナモジュール１３とを備え、硬質材５ａには貫通孔８、９が設けられ、硬質材５ａにおける貫通孔８、９が形成された領域と吸盤シート１ａとの間に、空隙３ａ、３ｂが形成される。【選択図】図１Ａ
2007316984.tif 000002
【特許請求の範囲】
【請求項１】
複数の吸盤が形成された吸盤面を有する吸盤シートと、
前記吸盤シートにおける前記吸盤面以外を覆う硬質材と、
前記硬質材の内部または前記吸盤シートと前記硬質材との間に、配置されたＩＣチップおよびアンテナモジュールとを備え、
前記硬質材には貫通孔が設けられ、
前記硬質材における貫通孔が形成された領域と前記吸盤シートとの間に、空隙が形成されたことを特徴とする吸盤付きＲＦＩＤタグ。
【請求項２】
前記ＩＣチップおよび前記アンテナモジュールは、前記空隙が形成されていない領域に接する前記硬質材の内部に配置された請求項１記載の吸盤付きＲＦＩＤタグ。
【請求項３】
前記ＩＣチップおよび前記アンテナモジュールは、前記空隙が形成されていない領域の、前記吸盤シートと前記硬質材との間に配置された請求項１記載の吸盤付きＲＦＩＤタグ。
【請求項４】
前記硬質材において、前記吸盤が取り付け対象物に取り付けられた際に前記取り付け対象物に接する接触面に、空気孔が形成された請求項１〜３のいずれか一項に記載の吸盤付きＲＦＩＤタグ。
【請求項５】
前記吸盤シートの周辺領域は、前記吸盤の密度が相対的に高く、前記中心領域へ近づくにつれて、前記吸盤の密度が相対的に低くなる請求項１〜４のいずれか一項に記載の吸盤付きＲＦＩＤタグ。
【請求項６】
前記吸盤シートの周辺領域は、前記吸盤の大きさが相対的に大きく、前記中心領域へ近づくにつれて、前記吸盤の大きさが相対的に小さくなる請求項１〜４のいずれか一項に記載の吸盤付きＲＦＩＤタグ。
【請求項７】
前記空隙は、少なくとも前記吸盤シートの吸盤面の裏面の前記中心領域に形成された請求項５または６記載の吸盤付きＲＦＩＤタグ。
【請求項８】
前記空隙がさらに前記中心領域より外側の領域に形成された請求項７記載の吸盤付きＲＦＩＤタグ。
【請求項９】
前記吸盤シートの吸盤面は、中央領域に吸盤が配置されず、前記中央領域より外側の外側領域には、前記吸盤が配置され、前記外側領域において前記中央領域に近い側から遠い側へ近づくにつれて前記吸盤の密度が相対的に高くなり、
前記空隙は、前記吸盤シートの吸盤面の裏面の外側領域に形成された請求項１〜４のいずれか一項に記載の吸盤付きＲＦＩＤタグ。
【請求項１０】
前記吸盤シートの吸盤面は、中央領域に吸盤が配置されず、前記中央領域より外側の外側領域には、前記吸盤が配置され、前記外側領域において前記中央領域に近い側から遠い側へ近づくにつれて前記吸盤の大きさが相対的に大きくなり、
前記空隙は、前記吸盤シートの吸盤面の裏面の外側領域に形成された請求項１〜４のいずれか一項に記載の吸盤付きＲＦＩＤタグ。
【発明の詳細な説明】
【技術分野】
【０００１】
本発明は、対象物に着脱可能な吸盤付きＲＦＩＤタグに関する。
【背景技術】
【０００２】
近年、商品管理にＲＦＩＤタグが用いられてきている。ＲＦＩＤタグは、データを電磁気により読み取りおよび書き込み可能であり、店舗の出入り口にＲＦＩＤタグデータの読み取り装置を設置することにより、盗難防止システムを構築することもできる。
【０００３】
しかし、ＲＦＩＤタグが商品から容易に取り外し可能であると、ＲＦＩＤタグが取り外されて商品を盗まれた場合には、盗難防止システムとして機能しない。一方、ＲＦＩＤタグを取り外し不可能にすると、正規に販売した商品に対しても、出入り口の読み取り装置が反応してしまう。さらに、ＲＦＩＤタグはコストがかかるので、ＲＦＩＤタグを商品に付着したまま販売することも難しい。また、商品の販売処理時に、ＲＦＩＤタグを回収する場合には、ＲＦＩＤタグを取り外すのに時間がかかり、効率的でない。
【０００４】
これらの問題を解決するために、商品を納め、ＲＦＩＤタグを挿入可能なケースが提案されている（例えば、特開２００１−１２２３２１号公報参照）。図６は、商品を納め、ＲＦＩＤタグを挿入可能なケースの斜視図である。ケース２０１には、スライダ２０４を挿入可能な開口部２０２が設けられている。開口部２０２の内部には、凹部状の係止部２０３が形成されている。
【０００５】
スライダ２０４には、商品の管理情報を記録したＲＦＩＤタグ２０５が配置されている。また、スライダ２０４には、スライダ２０４が開口部２０２に挿入された後に、係止部２０３と係合し、スライダ２０４が開口部２０２から抜けないようにする係止片２０６が２つ配置されている。係止片２０６は、中央部が凹状に形成されている。また、スライダ２０４には、障害部２０７が形成されている。スライダ２０４が開口部２０２に挿入されることにより、係止部２０３と係止片２０６が係合し、開口部２０２からスライダ２０４を取り出すことが困難となる。
【０００６】
図７は、開口部２０２からスライダ２０４を取り出す治具（係合解除具）を示す斜視図である。係合解除具２１１は、２つの凸部２１２、２１３および凹部２１４により形成されている。凸部２１２、２１３は、２つの係止片２０６の配置された位置に応じた長さに形成されている。凸部２１２、２１３が係止片２０６それぞれの中央部の凹部に係合することにより、係止片２０６がスライダ２０４側に倒れ、係止片２０６と係止部２０３の係合が解け、スライダ２０４を開口部２０２から取り出すことができる。また、係合解除具２１１が挿入される際に、凹部２１４と障害部２０７が接触し、係合解除具２１１が不必要に奥まで挿入されることを規制することにより、係合解除具２１１と係止片２０６が不必要に接触して破損することを防ぐことができる。
【特許文献１】特開２００１−１２２３２１号公報
【発明の開示】
【発明が解決しようとする課題】
【０００７】
しかしながら、上記のケースを用いる場合には、ケースへの商品の出し入れに伴い、仕事量の増加を招くという問題がある。また、商品の形状に合わせてケースを作成する必要がある。さらに、ケースの分だけスペースが必要となる。
【０００８】
本発明は、治具を用いなければ取り外し困難であり、治具を用いれば短時間で取り外すことが可能であり、スペースを取らないＲＦＩＤタグの提供を目的とする。
【課題を解決するための手段】
【０００９】
上記目的を達成するために、本発明の吸盤付きＲＦＩＤタグは、複数の吸盤が形成された吸盤面を有する吸盤シートと、前記吸盤シートにおける前記吸盤面以外を覆う硬質材と、前記硬質材の内部または前記吸盤シートと前記硬質材との間に、配置されたＩＣチップおよびアンテナモジュールとを備え、前記硬質材には貫通孔が設けられ、前記硬質材における貫通孔が形成された領域と前記吸盤シートとの間に、空隙が形成されたことを特徴とする。
【発明の効果】
【００１０】
本発明によれば、治具を用いなければ取り外し困難であり、治具を用いれば短時間で取り外すことが可能であり、スペースを取らないＲＦＩＤタグを提供することができる。
【発明を実施するための最良の形態】
【００１１】
本発明の吸盤付きＲＦＩＤタグは、複数の吸盤が形成された吸盤面を有する吸盤シートと、前記吸盤シートにおける前記吸盤面以外を覆う硬質材と、前記硬質材の内部または前記吸盤シートと前記硬質材との間に、配置されたＩＣチップおよびアンテナモジュールとを備え、前記硬質材には貫通孔が設けられ、前記硬質材における貫通孔が形成された領域と前記吸盤シートとの間に、空隙が形成された構成にすることができる。この構成により、取り外し治具を用いない場合には、吸盤付きＲＦＩＤタグを取り外し難く、取り外し治具を用いると容易に取り外すことができる。
【００１２】
また、前記ＩＣチップおよび前記アンテナモジュールは、前記空隙が形成されていない領域に接する前記硬質材の内部に配置された構成にすることもできる。この構成により、外部から力が加わってもＩＣチップおよびアンテナモジュールに掛かる力を低減することができる。
【００１３】
また、前記ＩＣチップおよび前記アンテナモジュールは、前記空隙が形成されていない領域の、前記吸盤シートと前記硬質材との間に配置された構成にすることもできる。この構成によっても、外部から力が加わってもＩＣチップおよびアンテナモジュールに掛かる力を低減することができる。
【００１４】
また、前記硬質材において、前記吸盤が取り付け対象物に取り付けられた際に前記取り付け対象物に接する接触面に、空気孔が形成された構成にすることもできる。この構成により、平面の取り付け対象物に対しても吸盤シートの裏面に空気の出入りが可能であり、取り付け治具を用いて取り外し可能である。
【００１５】
また、前記吸盤シートの周辺領域は、前記吸盤の密度が相対的に高く、前記中心領域へ近づくにつれて、前記吸盤の密度が相対的に低くなる構成にすることもできる。この構成により、吸盤シートにおいて、周辺領域の吸着力を中心領域の吸着力より強くすることができる。
【００１６】
また、前記吸盤シートの周辺領域は、前記吸盤の大きさが相対的に大きく、前記中心領域へ近づくにつれて、前記吸盤の大きさが相対的に小さくなる構成にすることもできる。この構成により、吸盤シートにおいて、周辺領域の吸着力を中心領域の吸着力より強くすることができる。
【００１７】
また、前記空隙は、少なくとも前記吸盤シートの吸盤面の裏面の前記中心領域に形成された構成にすることができる。この構成により、空隙の気圧を下げることにより吸盤付きＲＦＩＤタグを取り外すことができる。
【００１８】
また、前記空隙がさらに前記中心領域より外側の領域に形成された構成にすることが好ましい。この構成により、さらに吸盤付きＲＦＩＤタグを取り易くすることができる。
【００１９】
また、前記吸盤シートの吸盤面は、中央領域に吸盤が配置されず、前記中央領域より外側の外側領域には、前記吸盤が配置され、前記外側領域において前記中央領域に近い側から遠い側へ近づくにつれて前記吸盤の密度が相対的に高くなり、前記空隙は、前記吸盤シートの吸盤面の裏面の外側領域に形成された構成にすることができる。この構成により、吸盤シートにおいて、周辺領域の吸着力を中心領域の吸着力より強くすることができ、空隙の気圧を下げることにより吸盤付きＲＦＩＤタグを取り外すことができる。
【００２０】
また、前記吸盤シートの吸盤面は、中央領域に吸盤が配置されず、前記中央領域より外側の外側領域には、前記吸盤が配置され、前記外側領域において前記中央領域に近い側から遠い側へ近づくにつれて前記吸盤の大きさが相対的に大きくなり、前記空隙は、前記吸盤シートの吸盤面の裏面の外側領域に形成された構成にすることもできる。この構成により、吸盤シートにおいて、周辺領域の吸着力を中心領域の吸着力より強くすることができ、空隙の気圧を下げることにより吸盤付きＲＦＩＤタグを取り外すことができる。
【００２１】
以下、本発明の吸盤付きＲＦＩＤタグについて、図面を参照しながら説明する。
【００２２】
（実施の形態１）
図１Ａは、本発明の実施の形態１に係る吸盤付きＲＦＩＤタグ１００の断面構成を示す断面図である。吸盤シート１ａは、ゴム弾性を有する樹脂で形成され、樹脂材料を型に入れて成型することにより、中心付近の中心凹部２ａ、および中心凹部２ａより周辺領域の周辺凹部２ｂが形成されている。吸盤シート１ａの中心凹部２ａと周辺凹部２ｂの間に平坦部６ａに接触した第１充満部１０が形成されている。周辺凹部２ｂの外周に平坦部６ａに接触した第２充満部１１が形成されている。また、吸盤シート１ａには、中心凹部２ａおよび周辺凹部２ｂが形成された面（表面）と反対側の面（裏面）に吸盤４が形成されている。吸盤４は、吸盤シート１ａの裏面に、柔軟質のインクを吸盤として機能できるような円輪形に、スクリーン印刷法により印刷して形成される。
【００２３】
甲殻部５ａ（硬質材）は、吸盤シート１ａを覆い、外力により変形しにくい硬質の樹脂等で構成されている。また、甲殻部５ａは、吸盤シート１ａの表面上に形成された平坦部６ａと吸盤シート１ａの側面上に形成された脚部７ａで構成されている。平坦部６ａと、中心凹部２ａおよび周辺凹部２ｂとの間には、それぞれ中心空隙３ａおよび周辺空隙３ｂが形成されている。平坦部６ａには、中心空隙３ａおよび周辺空隙３ｂのそれぞれに、空気の流入および排出を可能にする中心通気孔８（貫通孔）および周辺通気孔９（貫通孔）が形成されている。中心通気孔８および周辺通気孔９は、針金などが挿入され吸盤シート１ａが破損しないように、直径が０．２ｍｍ以下であることが好ましい。脚部７ａは、吸盤シート１ａの端部を覆うために、平坦部６ａから向きを変えた錐台形状に形成されている。脚部７ａの端面は、吸盤シート１ａの裏面と同一平面に形成され、吸盤４は、脚部７ａの端面により形成される面からわずかにでるように形成されている。
【００２４】
図１Ｂは、図１Ａに示した吸盤付きＲＦＩＤタグ１００の構成を示す平面図である。平坦部６ａ内には、吸盤付きＲＦＩＤタグ１００のＩＣチップ１２およびＩＣチップ１２に接続されたアンテナモジュール１３が配置されている。ＩＣチップ１２は、商品管理データなどを記録する。アンテナモジュール１３は、コイル状または直線状に形成され、外部と商品管理データなどを送受信する。ＩＣチップ１２およびアンテナモジュール１３は、外力に弱いため、外力が伝わりにくいように甲殻部５ａ内部に形成されている。さらに、変形しないように、ＩＣチップ１２は第１充満部１０上の平坦部６ａに配置され、アンテナモジュール１３は第２充満部１１上の平坦部６ａに配置されている。
【００２５】
なお、ＩＣチップ１２およびアンテナモジュール１３は、中心通気孔８および周辺通気孔９を塞がないように配置することが好ましい。この構成により、中心通気孔８および周辺通気孔９に異物が入り込み、ＩＣチップ１２およびアンテナモジュール１３を破損させることによる通信特性の劣化を防ぐことができる。
【００２６】
図１Ｃは、図１Ａに示した吸盤付きＲＦＩＤタグ１００の吸盤シート１ａの表面の構成を示す平面図である。中心凹部２ａおよび周辺凹部２ｂが環状に形成されている。中心凹部２ａと周辺凹部２ｂの間に第１充満部１０が環状に形成され、周辺凹部２ｂの外周に第２充満部１１が環状に形成されている。また、第２充満部１１の外側に脚部７ａと接触して形成された領域が形成されている。
【００２７】
図１Ｄは、図１Ａに示した吸盤付きＲＦＩＤタグ１００の吸盤シート１ａの裏面の構成を示す平面図である。吸盤シート１ａは、吸盤４の密度が外側（周辺領域）では高く、中心（中心領域）に至るにつれて低くなるように形成されている。
【００２８】
一般に吸盤は、吸盤内の気圧と外気圧の差により吸着し、吸盤面の垂直方向に対して１ｃｍ2当たり１ｋｇ重（９．８Ｎ）程度の力で引っ張らないと外すことができない。しかしながら、吸盤は、吸盤を剥がす方向の力、すなわち吸盤面に対して不均等な力に対しては弱く、吸盤に空気が流入すると容易に外れる。
【００２９】
上述したように、本実施の形態に係る吸盤付きＲＦＩＤタグ１００は、吸盤シート１ａを甲殻部５ａで覆う構成である。この構成にすることにより、吸盤４を剥がす方向の力が甲殻部５ａに掛かっても吸盤シート１ａには、ほとんど伝わらない。従って、取り付け対象物から吸盤付きＲＦＩＤタグ１００を容易に外すことができない。
【００３０】
また、無理に剥がそうとして力が加わるとアンテナモジュール１２などが破損する構成にしてもよい。アンテナモジュール１２などの破損を検出する構成にすることにより、盗難防止装置として機能する。
【００３１】
次に、吸盤付きＲＦＩＤタグ１００の取り付け対象物１４への取り付けについて説明する。図２は、吸盤付きＲＦＩＤタグ１００を取り付け対象物１４に取り付けた状態を示す図である。吸盤付きＲＦＩＤタグ１００を取り付け対象物１４に押し付ける。取り付け対象物１４に押し付けられた吸盤シート１ａにおいて、中心空隙３ａおよび周辺空隙３ｂが押し付けられた力を緩和するため、中心凹部２ａおよび周辺凹部２ｂの直下の吸盤４に掛かる力は弱い。
【００３２】
一方、第１充満部１０および第２充満部１１においては、押し付けられた力が吸盤シート１ａに伝わり、第１充満部１０および第２充満部１１直下の吸盤４に掛かる力は、吸盤４を取り付け対象物１４に十分に吸着させる大きさとなる。第１充満部１０および第２充満部１１直下の吸盤４に大きな力が加わると、第１充満部１０および第２充満部１１に加えられた力が第１充満部１０および第２充満部１１だけでなくその周辺にも分散する。従って、中心凹部２ａおよび周辺凹部２ｂ直下の吸盤４に加わる力が大きくなり、取り付け対象物１４に吸着する。そして、同様にその周辺領域の吸盤４も取り付け対象物１４に吸着し、吸盤付きＲＦＩＤタグ１００が取り付けられる。
【００３３】
次に、吸盤付きＲＦＩＤタグ１００の取り外し工程について図３Ａ〜図３Ｅを参照しながら説明する。図３Ａ〜図３Ｅは、本実施の形態に係る吸盤付きＲＦＩＤタグ１００の取り外し工程を示す工程断面図である。まず、図３Ａに示すように、甲殻部５ａの平坦部６ａに取り外し治具１５を設置する。取り外し治具１５は、空気を吸引する排気ポンプなどである。取り外し治具１５が空気を吸引し始めると、中心空隙３ａおよび周辺空隙３ｂの空気が中心通気孔８および周辺通気孔９を通過し、中心空隙３ａおよび周辺空隙３ｂの気圧が下がる。
【００３４】
一方、甲殻部５ａの脚部７ａが取り付け対象物１４から浮いており、自由に空気の流入が可能であるから、吸盤シート１ａの吸盤４間における気圧は、大気圧と同じである。従って、中心空隙３ａおよび周辺空隙３ｂの気圧と吸盤４間の気圧の差により吸盤シート２には、紙面上向きの力が働く。中心凹部２ａ直下の吸盤シート１ａにおいては、吸盤４の密度が低い。そのため、中心空隙３ａの気圧が徐々に下がると、やがて図３Ｂに示すように、紙面上向きの力に抗しきれなくなり、中心凹部２ａ直下の吸盤４が外れる。
【００３５】
中心凹部２ａ直下の吸盤４が外れ、吸盤シート１ａの中心部が浮き上がると、第１充満部１０直下の吸盤４には、吸盤４を剥がす方向に力が加わる。従って、図３Ｃに示すように、第１充満部１０直下の吸盤４が外れる。
【００３６】
第１充満部１０直下の吸盤４が外れると、吸盤シート１ａがさらに浮き上がり、周辺凹部２ｂ直下の吸盤４には、周辺空隙３ｂの気圧と大気圧の差による紙面上向きの力および吸盤４を剥がす方向に力が加わる。従って、図３Ｄに示すように、第１充満部１０より吸盤密度が高い周辺凹部２ｂ直下の吸盤４が外れる。
【００３７】
周辺凹部２ｂ直下の吸盤４が外れると、吸盤シート１ａがさらに浮き上がり、第２充満部直下の吸盤４には、吸盤４を剥がす方向に力が加わる。従って、吸盤４の密度が大きい第２充満部１１においても、図３Ｅに示すように、第２充満部１１直下の吸盤４が外れ、吸盤付きＲＦＩＤタグ１００を取り外すことができる。
【００３８】
以上のように、本実施の形態に係る吸盤付きＲＦＩＤタグ１００は、取り外し治具１５を用いなければ取り外すことは困難であるが、取り外し治具１５を用いることにより、容易に、短時間で取り外すことができる。また、吸盤付きＲＦＩＤタグ１００の取り付け機構として、吸盤４を用いるため、再利用可能であり、取り付け対象物１４に損傷を与えずに、取り外し可能である。また、吸盤付きＲＦＩＤタグ１００の取り付けも、取り付け対象物に押し付ければよく、容易である。
【００３９】
（実施の形態２）
図４Ａは、本発明の実施の形態２に係る吸盤付きＲＦＩＤタグ１１０の構成を示す断面図である。本実施の形態に係る吸盤付きＲＦＩＤタグ１１０は、甲殻部５ｂおよび吸盤シート１ｂの構成が異なる点以外は、実施の形態１に係る吸盤付きＲＦＩＤタグ１００と同様であり、吸盤付きＲＦＩＤタグ１００と同一の構成要素については同一の符号を付して説明を省略する。
【００４０】
甲殻部５ｂは、平坦部６ｂおよび脚部７ｂで構成され、吸盤シート１ｂを覆うように形成されている。また、甲殻部５ｂは、外力に対してＩＣチップ１２およびアンテナモジュール１３が損傷しない程度にしなるように構成されている。甲殻部５ｂをしなる構成にすることにより、吸盤付きＲＦＩＤタグ１１０を取り付ける際に、吸盤４に力が掛かり、取り付け対象物に取り付けることができる。吸盤シート１ｂの表面は、実施の形態１の吸盤シート１ａの表面と同様の構成である。脚部７ｂの端面は、吸盤４の先端が形成する面と同一面となるように錐台形状に形成されている。
【００４１】
また、脚部７ｂの先端には、図４Ａに示すように、吸盤付きＲＦＩＤタグ１１０を取り付け対象物１４に取り付けた際に、吸盤４の隙間と吸盤付きＲＦＩＤタグ１１０の外部の空気が出入りを可能とする空気孔１６が形成されている。
【００４２】
図４Ｂは、吸盤付きＲＦＩＤタグ１１０の裏面の構成を示す平面図である。空気孔１６は、中心通気孔８と同程度の直径であり、空気孔１６の延長線（破線で示す）上には吸盤４および空気孔１６が配置されていない。空気孔１６をこのように構成することにより、空気は出入り可能であるが、針金などは挿入されにくく、挿入されたとしても吸盤４を剥がすことはできない。また、空気孔１６の直径が小さいため、液体が掛かっても表面張力により入り込むことも無い。従って、取り外し治具１５以外では、吸盤付きＲＦＩＤタグ１１０を取り外すことは、困難である。
【００４３】
（実施の形態３）
図５Ａは、本発明の実施の形態３に係る吸盤付きＲＦＩＤタグ１２０の構成を示す断面図である。実施の形態１に掛かる吸盤付きＲＦＩＤタグ１００と同一の構成要素については、同一の符号を付して説明を省略する。吸盤シート１ｃは、ゴム弾性を有する樹脂で形成され、樹脂材料を型に入れて成型することにより、周辺領域に凹部２３が形成されている。吸盤シート１ｃの中央に平坦部６ｃに接触した充満部２２が形成されている。また、吸盤シート１ｃには、凹部２３が形成された面（表面）に対して反対側の面（裏面）に吸盤４が形成されている。
【００４４】
甲殻部５ｃ（硬質材）は、吸盤シート１ｃを覆い、外力により変形しにくい硬質の樹脂等で構成されている。甲殻部５ｃと凹部２３の間には、空隙２４が形成されている。甲殻部５ｃには、空隙２４に空気を流入および排出を可能にする。通気孔２１が形成されている。通気孔２１は、針金などが挿入され吸盤シート１ｃが破損しないように、直径が０．２ｍｍ以下であることが好ましい。また、甲殻部５ｃは、吸盤シート１ｃの表面上に形成された平坦部６ｃと吸盤シート１ｃの側面上に形成された脚部７ｃで構成されている。脚部７ｃは、掴みにくいように断面形状が円弧状に形成されている。
【００４５】
図５Ｂは、吸盤シート１ｃの表面の構成を示す平面図である。吸盤シート１ｃには、同心円上に充満部２２および凹部２３が形成されている。ＩＣチップ１２とアンテナモジュール１３は、甲殻部５ｃの平坦部６ｃと吸盤シート１ｃの充満部２２の間に配置されている。この位置に配置されることにより、ＩＣチップ１２およびアンテナモジュール１３、特にその接合部に力が加わることによるＩＣチップ１２およびアンテナモジュール１３の破損および特性変化を防止することができる。なお、図５Ａおよび図５Ｂでは、ＩＣチップ１２およびアンテナモジュール１３はむき出しのまま配置されているが、樹脂などで形成された基板上に形成して、配置された構成にすると破損しにくくなるので好ましい。
【００４６】
図５Ｃは、本実施の形態に係る吸盤付きＲＦＩＤタグ１２０の裏面の構成を示す平面図である。吸盤シート１ｃの中央領域には、吸盤４が配置されていない。吸盤シート１ｃには、取り付け対象物から吸盤付きＲＦＩＤタグ１２０を取り外す際に、中央領域には取り外す力が掛からないため、中央領域（充満部２２直下の領域）に、凹部２３が設けられていない。吸盤シート１ｃは、中央領域より外側（外側領域）において吸盤４が形成され、中央領域から外側へいくにつれて吸盤４の密度が高くなるように構成されている。
【００４７】
次に、吸盤付きＲＦＩＤタグ１２０の取り付け対象物からの取り外しについて説明する。取り外し治具１５を甲殻部５ｃに設置し、通気孔２１を介して空隙２４の空気を吸い出す。すると、凹部２３直下の吸盤シート１ｃには、裏面と空隙２４の気圧の差に応じた力が掛かる。吸盤シート１ｃの中央領域側の吸盤４は、気圧の差により生じた力に抗することができずに外れる。吸盤４が外れた部分の吸盤シート１ｃは、気圧の差により生じた力により持ち上がり、周辺の吸盤４には、吸盤を剥がす方向の力が掛かる。従って、外れた吸盤４の外側の吸盤４には、気圧の差により生じた力と吸盤を剥がす方向の力が掛かり吸盤４は外れる。このように吸盤４が外れて吸盤付きＲＦＩＤタグ１２０が取り付け対象物から取り外される。
【００４８】
以上のように、本実施の形態に係る吸盤付きＲＦＩＤタグ１２０は、取り外し治具１５を用いなければ取り外すには、非常に大きな力が必要となり、取り外すことは困難である。一方、取り外し治具１５を用いて空隙２４の空気を吸引することにより、容易に、短時間で取り外すことができる。また、吸盤４を用いるため、再利用可能であり、取り付け対象物１４に損傷を与えずに、取り外し可能である。また、吸盤付きＲＦＩＤタグ１００の取り付けも、取り付け対象物に押し付ければよく、容易である。
【００４９】
なお、図５Ａでは、アンテナモジュール１３としてダイポールアンテナを示したがループアンテナを用いることもできる。
【００５０】
なお、実施の形態１〜３の吸盤付きＲＦＩＤタグにおいて、吸盤シート１ａ、１ｂ、１ｃに配置される吸盤４を、吸盤シート１ａ、１ｂ、１ｃの外側が大きく、中心側または中央側にいくに連れて小さくなるように構成してもよい。この構成においても、吸盤シート１ａ、１ｂ、１ｃの吸着力が中心または中央領域側で弱く、外側で大きくすることができ、吸盤４の個数を中心または中央側と周辺側で変化させた構成と同様の効果を得ることができる。
【００５１】
なお、本実施の形態は、本発明の吸盤付きＲＦＩＤタグの一例であって、吸盤付きＲＦＩＤタグの形状、吸盤の形状、凹部の形状など、必要に応じて他の構成にすることもできる。
【００５２】
また、本実施の形態では、吸盤４をスクリーン印刷法により形成する例を示したが、シート面に多数の凹状陥没穴を形成し、この凹状陥没穴を吸盤４として機能させる構成にすることもできる。凹状陥没穴を形成する際に、シート面にテープあるいは塗装などによりマスクを形成することで、吸盤４の形状、大きさ、配置密度分布を制御することができる。これにより、吸盤シート１ａ、１ｂの吸着力がシートの周辺部において中心部よりも大きい構成とすることができる。
【産業上の利用可能性】
【００５３】
本発明の吸盤付きＲＦＩＤタグは、治具を用いなければ取り外し困難であり、治具を用いれば短時間で取り外すことが可能であり、スペースを取らないという効果を有し、販売業、流通業などの分野において利用可能である。
【図面の簡単な説明】
【００５４】
【図１Ａ】本発明の実施の形態１に係る吸盤付きＲＦＩＤタグの構成を示す断面図
【図１Ｂ】同上吸盤付きＲＦＩＤタグの構成を示す平面図
【図１Ｃ】同上吸盤付きＲＦＩＤタグの吸盤シート１の表面の構成を示す平面図
【図１Ｄ】同上吸盤付きＲＦＩＤタグの吸盤シート１の裏面の構成を示す平面図
【図２】同上吸盤付きＲＦＩＤタグの取り付け対象物に取り付ける状態を示す断面図
【図３Ａ】同上吸盤付きＲＦＩＤタグの取り外し工程を示す工程断面図
【図３Ｂ】図３Ａの次の工程を示す工程断面図
【図３Ｃ】図３Ｂの次の工程を示す工程断面図
【図３Ｄ】図３Ｃの次の工程を示す工程断面図
【図３Ｅ】図３Ｄの次の工程を示す工程断面図
【図４Ａ】本発明の実施の形態２に係る吸盤付きＲＦＩＤタグの構成を示す断面図
【図４Ｂ】同上吸盤付きＲＦＩＤタグの裏面の構成を示す平面図
【図５Ａ】本発明の実施の形態３に係る吸盤付きＲＦＩＤタグの構成を示す断面図
【図５Ｂ】同上吸盤付きＲＦＩＤタグの吸盤シート１の表面の構成を示す平面図
【図５Ｃ】同上吸盤付きＲＦＩＤタグの裏面の構成を示す平面図
【図６】従来の盗難防止用ケースの構成を示す斜視図
【図７】同上盗難防止用ケースのスライダを取り外す係合解除具の構成を示す斜視図
【符号の説明】
【００５５】
１ａ、１ｂ、１ｃ  吸盤シート
２ａ  中心凹部
２ｂ  周辺凹部
３ａ  中心空隙
３ｂ  周辺空隙
４  吸盤
５ａ、５ｂ、５ｃ  甲殻部
６ａ、６ｂ、６ｃ  平坦部
７ａ、７ｂ、７ｃ  脚部
８  中心通気孔
９  周辺通気孔
１０  第１充満部
１１  第２充満部
１２  ＩＣチップ
１３  アンテナモジュール
１４  取り付け対象物
１５  取り外し治具
１６  空気孔
２１  通気孔
２２  充満部
２３  凹部
２４  空隙
１００、１１０、１２０  吸盤付きＲＦＩＤタグ
【図１Ａ】
2007316984.tif 000003
【図１Ｂ】
2007316984.tif 000004
【図１Ｃ】
2007316984.tif 000005
【図１Ｄ】
2007316984.tif 000006
【図２】
2007316984.tif 000007
【図３Ａ】
2007316984.tif 000008
【図３Ｂ】
2007316984.tif 000009
【図３Ｃ】
2007316984.tif 000010
【図３Ｄ】
2007316984.tif 000011
【図３Ｅ】
2007316984.tif 000012
【図４Ａ】
2007316984.tif 000013
【図４Ｂ】
2007316984.tif 000014
【図５Ａ】
2007316984.tif 000015
【図５Ｂ】
2007316984.tif 000016
【図５Ｃ】
2007316984.tif 000017
【図６】
2007316984.tif 000018
【図７】
2007316984.tif 000019